(57)【要約】【課題】制御装置の収納性とメンテナンス性の向上を図ることができる一体型ヒートポンプ給湯機を提供すること。【解決手段】圧縮機１、水−冷媒熱交換器２、減圧装置３、空気−冷媒熱交換器４から形成された冷凍サイクルと、前記水−冷媒熱交換器２で加熱された温水を貯湯する貯湯手段６を有するタンク回路と、制御装置（図示せず）とを備え、前記冷凍サイクルと前記タンク回路と前記制御装置とを同一の筐体３０内に配設するとともに、前記制御装置を前記本体３０の前面から引き出せる構造にしたことを特徴とするもので、本体上部に空間が少ない場合でも、本体の天板をあけることなく電装品のメンテナンスが可能となり、本体の設置性向上やメンテナンス性の向上を図ることができる。【選択図】図２
2006349235.tif 000002
【特許請求の範囲】
【請求項１】
圧縮機、水−冷媒熱交換器、減圧装置、空気−冷媒熱交換器から形成された冷凍サイクルと、前記水−冷媒熱交換器で加熱された温水を貯湯する貯湯手段を有するタンク回路と、制御装置とを備え、前記冷凍サイクルと前記タンク回路と前記制御装置とを同一の筐体内に配設するとともに、前記制御装置を前記本体の前面から引き出せる構造にしたことを特徴とする一体型ヒートポンプ給湯機。
【請求項２】
冷媒として二酸化炭素を充填したことを特徴とする請求項１記載の一体型ヒートポンプ式給湯機。
【発明の詳細な説明】
【技術分野】
【０００１】
本発明は、冷凍サイクルとタンク回路を一つの筐体に備えた一体型ヒートポンプ給湯機に関するものである。
【背景技術】
【０００２】
従来の一体型ヒートポンプ給湯機について説明する。図７は、従来の一体型ヒートポンプ給湯機の回路構成図である（例えば、非特許文献１参照）。
【０００３】
図７に示す一体型ヒートポンプ給湯機は、圧縮機（１、２１）、水−冷媒熱交換器（２、２２）、減圧弁（３、２３）、空気−冷媒熱交換器（４、２４）および送風機（５、２５）などで構成された２個の冷凍サイクルと、貯湯タンク６、混合弁７、流量調整弁８、給湯用循環ポンプ９および風呂追炊き用循環ポンプ１０などを配管で接続して構成されたタンク回路とを備え、冷凍サイクルで湯を生成して浴槽１１や蛇口１２に直接給湯し、またはタンク回路から貯湯を給湯するものである。
【０００４】
そして、この一体型ヒートポンプ給湯機は、冷凍サイクルやタンク回路を全て１個のユニット内に収納した一体型で構成され、貯湯タンク６の前面に、前記冷凍サイクルの圧縮機（１、２１）、減圧弁（３、２３）、送風機（４、２４）および前記タンク回路の混合弁７、流量調整弁８、給湯用循環ポンプ９などの制御装置は、貯湯タンク６の前面に配設している。
【非特許文献１】週刊エアコン流通人２００３年５月１５日号（ＶＯＬ．２４−Ｎｏ．８９６）
【発明の開示】
【発明が解決しようとする課題】
【０００５】
しかしながら、上記従来の一体型ヒートポンプ給湯機は、冷凍サイクルやタンク回路を全て１個の筐体内に収納した一体型で構成されており、更なる小型化を図る必要があり、特に筐体の高さを低減すると、貯湯タンクの前面の収納スペースが少なくなり、制御装置を収納できないという課題があった。
【０００６】
したがって本発明は、このような従来の課題を解決するものであり、制御装置の収納性とメンテナンス性の向上を図ることができる一体型ヒートポンプ給湯機を提供することを目的とする。
【課題を解決するための手段】
【０００７】
上記課題を解決するために本発明の一体型ヒートポンプ給湯機は、圧縮機、水−冷媒熱交換器、減圧装置、空気−冷媒熱交換器から形成された冷凍サイクルと、前記水−冷媒熱交換器で加熱された温水を貯湯する貯湯手段を有するタンク回路と、制御装置とを備え、前記冷凍サイクルと前記タンク回路と前記制御装置とを同一の筐体内に配設するとともに、前記制御装置を前記本体の前面から引き出せる構造にしたことを特徴とするもので、電装品収納箱を本体の前面から引き出せる構造にすることにより、本体上部に空間が少ない場合でも、本体の天板をあけることなく電装品のメンテナンスが可能となり、本体の設置性向上やメンテナンス性の向上を図ることができる。また、集合住宅のメーターボックスに設置する場合などには、本体の上に物置を設置できるなど、空きスペースの有効活用も可能となる。
【発明の効果】
【０００８】
本発明によれば、制御装置の収納性とメンテナンス性の向上を図ることができる一体型ヒートポンプ給湯機を提供できる。
【発明を実施するための最良の形態】
【０００９】
第１の発明は、圧縮機、水−冷媒熱交換器、減圧装置、空気−冷媒熱交換器から形成された冷凍サイクルと、前記水−冷媒熱交換器で加熱された温水を貯湯する貯湯手段を有するタンク回路と、制御装置とを備え、前記冷凍サイクルと前記タンク回路と前記制御装置とを同一の筐体内に配設するとともに、前記制御装置を前記本体の前面から引き出せる構造にしたことを特徴とする一体型ヒートポンプ給湯機で、電装品収納箱を本体の前面から引き出せる構造にすることにより、本体上部に空間が少ない場合でも、本体の天板をあけることなく電装品のメンテナンスが可能となり、本体の設置性向上やメンテナンス性の向上を図ることができる。また、集合住宅のメーターボックスに設置する場合などには、本体の上に物置を設置できるなど、空きスペースの有効活用も可能となる。
【００１０】
第２の発明は、冷凍サイクルに冷媒として二酸化炭素を充填したもので、二酸化炭素を充填することによって、安全性が高く、かつ地球環境に優しい、その上、設置性やメンテナンス性の優れたヒートポンプ式給湯機を提供することができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における一体型ヒートポンプ給湯機の回路構成図、図２（ａ）は、同一体型ヒートポンプ給湯機の内部を透視した正面図、図２（ｂ）は、同一体型ヒートポンプ式給湯機の平面図である。
【００１３】
図１、図２（ａ）、図２（ｂ）に示す第１の実施の形態における一体型ヒートポンプ給湯機は、圧縮機１、水−冷媒熱交換器２、減圧弁３および空気−冷媒熱交換器４を環状に接続した冷媒回路に冷媒を充填して構成された冷凍サイクルを有している。また、貯湯タンク６、混合弁７、流量調整弁８、給湯用循環ポンプ９および風呂追炊き用循環ポンプ１０などを配管で接続して構成されたタンク回路を具備している。なお、送風機５は空気−冷媒熱交換器４に空気を送る機能を果たし、水−冷媒熱交換器２は凝縮器として、空気−冷媒熱交換器４は蒸発器として機能する。
【００１４】
そして、図２（ａ）、図２（ｂ）に示すように、本実施の形態の一体型ヒートポンプ給湯機は、冷凍サイクルとタンク回路を１個のユニット１０１に収納し、そのユニット１０１の上部に縦仕切り板１５と横仕切り板１６を配設して電装品収納部を設けて、冷凍サイクルの圧縮機１、減圧弁３、送風機５および前記タンク回路の混合弁７、電磁弁８、給湯用循環ポンプ９、風呂追焚き用循環ポンプ１０などの制御装置を収納する電装品収納箱１７を収納し、ネジ１８で固定する構造にしたものである。
【００１５】
上記一体型ヒートポンプ給湯機の動作は、次のとおりである。
【００１６】
まず給水をする場合には、蛇口１２を開けて圧縮機１および給湯用循環ポンプ９を運転して給湯を開始する。冷凍サイクルでは、圧縮機１で圧縮された冷媒は、水−冷媒熱交換器２で放熱して凝縮し、減圧弁３に流入して膨張し、空気−冷媒熱交換器４で送風機５にて送られた空気と熱交換して蒸発し、ガス冷媒となる。このガス冷媒は、圧縮機１に吸入されて再び圧縮される。タンク回路では、水−冷媒熱交換器２で水を加熱して湯を生成し、この湯を給湯側に切り換えられた混合弁７と電磁弁８を介して蛇口１２から給湯する。そして、蛇口１２を閉じて圧縮機１などを停止し、直接給湯を終了する。
【００１７】
一方、貯湯タンク６に貯湯する場合には、冷凍サイクルおよび給湯用循環ポンプ９を運転し、上記直接給湯の場合と同様に、水−冷媒熱交換器２で水を加熱して湯を生成し、この湯を貯湯側に切り換えられた混合弁７を介して、貯湯タンク６に貯湯する。また、貯湯タンク６の湯を出湯する場合には、冷凍サイクル及び給湯用循環ポンプ９を停止し、混合弁７を切り換えて、貯湯タンク６の湯を蛇口１２から出湯する。この場合、給水は貯湯タンク６の下部より水圧で流入し、湯を貯湯タンク６の上部から押し出すことになる。
【００１８】
更に、風呂の追焚きをする場合には、冷凍サイクルおよび風呂追焚き用循環ポンプ１０を運転し、水−冷媒熱交換器２で風呂追焚き用循環ポンプ１０から送られた水を加熱して湯を生成し、この湯を浴槽１１に給湯して追炊きをする。
【００１９】
また、電装品収納箱１７は、本体の前板３１を外して、電装品収納箱１７の左右に設けられたネジ１８を外すことによって電装品収納箱１７を本体３０の前面から引き出せる構造になっている。
【００２０】
以上のような本実施の形態の一体型ヒートポンプ給湯機によれば、電装品収納箱１７を本体３０の前面から引き出せる構造にすることにより、本体を出窓下に設置した場合など本体天面と出窓下との空間がない場合でも本体３０の天板をあけることなく電装品のメンテナンスが可能となり、メンテナンス性の向上、しいては本体の設置性向上を図ることができる。また、集合住宅のメーターボックスに設置する場合などには、本体の上に物置を設置できるなど、空きスペースの有効活用も可能となる。
【００２１】
（実施の形態２）
図３（ａ）は、本発明の第２の実施の形態における一体型ヒートポンプ給湯機を示す正面透視図であり、図３（ｂ）は、スライドレール部の拡大図である。
【００２２】
図に示す第２の実施の形態におけるヒートポンプ式給湯機は、第１の実施の形態と同様に、冷凍サイクルとタンク回路を具備した構成である。なお、本実施の形態のヒートポンプ式給湯機の動作は、第１の実施の形態と同じであり、その説明を省略する。以下、第３〜第６の実施の形態についても、同様に給湯の動作説明は省略する。
【００２３】
本実施の形態のヒートポンプ式給湯機は、１個のユニット１０１に収納され、そのユニット１０１の上部に、冷凍サイクルの圧縮機１、減圧弁３、送風機５および前記タンク回路の混合弁７、電磁弁８、給湯用循環ポンプ９、風呂追炊き用循環ポンプ１０などを制御する制御装置を収納する電装品収納箱１７を配設し、前記電装品収納箱１７の両側にスライドレール１８ａを設けて本体の前面から引き出せる構造にしたものである。
【００２４】
本実施の形態のヒートポンプ式給湯機によれば、電装品収納箱１７にスライドレール１８ａを設けることにより、本体３０の前面からスムースに引き出すことができる。また本体３０を出窓下に設置した場合など本体天面と出窓下との空間がない場合でも本体３０の天板をあけることなく電装品のメンテナンスが可能となり、メンテナンス性の向上、しいては本体の設置性向上を図ることができる。また、集合住宅のメーターボックスに設置する場合などには、本体の上に物置を設置できるなど、空きスペースの有効活用も可能となる。
【００２５】
（実施の形態３）
図４（ａ）は、本発明の第３の実施の形態における一体型ヒートポンプ給湯機を示す正面透視図、図４（ｂ）は、フック部の拡大図である。図に示す第３の実施の形態における一体型ヒートポンプ給湯機は、第１の実施の形態と同様に、冷凍サイクルとタンク回路を
具備した構成である。
【００２６】
本実施の形態の一体型ヒートポンプ給湯機は、１個のユニット１０１に収納され、そのユニット１０１の上部に、冷凍サイクルの圧縮機１、減圧弁３、送風機５および前記タンク回路の混合弁７、電磁弁８、給湯用循環ポンプ９、風呂追炊き用循環ポンプ１０などを制御する制御装置を収納する電装品収納箱１７を配設し、前記電装品収納箱１７の両側にフック１８ｂを設けて本体３０の前面から引き出せる構造にしたものである。
【００２７】
本実施の形態のヒートポンプ式給湯機によれば、電装品収納箱１７にフック１８ｂを設けることにより、本体３０の前面からスムースに引き出すことができる。また本体３０を出窓下に設置した場合など本体３０の天面と出窓下との空間がない場合でも本体３０の天板をあけることなく電装品のメンテナンスが可能となり、メンテナンス性の向上、しいては本体３０の設置性向上を図ることができる。また、集合住宅のメーターボックスに設置する場合などには、本体の上に物置を設置できるなど、空きスペースの有効活用も可能となる。
【００２８】
（実施の形態４）
図５は、本発明の第４の実施の形態における一体型ヒートポンプ給湯機を示す正面透視図である。図に示す第４の実施の形態における一体型ヒートポンプ給湯機は、第１の実施の形態と同様に、冷凍サイクルとタンク回路を具備した構成である。
【００２９】
本実施の形態の一体型ヒートポンプ給湯機は、１個のユニット１０１に収納され、空気−冷媒熱交換器４の上に電装品収納箱１７に設けられたフック１８ｃを掛けて、もう一方の仕切り板１５側にはスライドレール１８ａを設けて、前記電装品収納箱１７を本体３０の前面から引き出せる構造にしたものである。
【００３０】
本実施の形態の一体型ヒートポンプ給湯機によれば、空気−冷媒熱交換器４の上にフック１８ｃを掛けて電装品収納箱１７を空気−冷媒熱交換器４の上を滑らせることにより、本体３０の左側のスライドレールをなくすことができ、部品の削減、しいてはコスト削減を図ることができる。
【００３１】
（実施の形態５）
図６（ａ）は、本発明の第５の実施の形態における一体型ヒートポンプ給湯機を示す正面透視図、図６（ｂ）は、左切り欠き部の側面図である。図に示す第５の実施の形態の一体型ヒートポンプ給湯機は、第１の実施の形態と同様に、冷凍サイクルとタンク回路を具備した構成である。
【００３２】
本実施の形態の一体型ヒートポンプ給湯機は、１個のユニット１０１に収納され、空気−冷媒熱交換器４と、ファンモータとファンで構成された送風機５からなる送風回路と前記タンク回路を仕切る仕切り板１５に切欠き部１８ｄを設け、前記切欠き部１８ｄに電装品収納箱１７に設けられたフック１８ｅを掛ける構造で、一方左側はスライドレール１８ａを設けて、前記電装品収納箱１７を本体３０の前面から引き出せる構造にしたものである。
【００３３】
本実施の形態の一体型ヒートポンプ給湯機によれば、仕切り板１５に切欠き部１８ｄを設け、前記切欠き部１８ｄに電装品収納箱１７に設けられたフック１８ｅを掛けて、電装品収納箱１７を仕切り板の切欠き部１８ｄを滑らせることにより、本体３０の右側からフックやスライドレールをなくすことができ、部品の削減、しいてはコスト削減を図ることができる。
【００３４】
（実施の形態６）
本発明の第６の実施の形態における一体型ヒートポンプ給湯機（図示せず）は、１個のユニットに収納されている第１〜第５の実施の形態までのいずれかの一体型ヒートポンプ給湯機において、冷媒として二酸化炭素を充填したものである。
【００３５】
本実施の形態の一体型ヒートポンプ給湯機によれば、二酸化炭素を充填することによって安全性が高くかつ地球環境に優しい、その上、収納性やメンテナンス性が向上するヒートポンプ給湯機を提供することができる。
【産業上の利用可能性】
【００３６】
以上のように、本発明は、ヒートポンプサイクルで湯を生成して給湯するヒートポンプ給湯機に適用され、例えば、家庭用の瞬間湯沸し器や、業務用の給湯装置などに適している。
【図面の簡単な説明】
【００３７】
【図１】本発明の実施の形態１における一体型ヒートポンプ給湯機の回路構成図
【図２】（ａ）本発明の実施の形態１における一体型ヒートポンプ給湯機の正面透視図（ｂ）本発明の実施の形態１における一体型ヒートポンプ給湯機の平面透視図
【図３】（ａ）本発明の実施の形態２における一体型ヒートポンプ給湯機の正面透視図（ｂ）本発明の実施の形態２におけるスライドレール部の拡大図
【図４】（ａ）本発明の実施の形態３における一体型ヒートポンプ給湯機の正面透視図（ｂ）本発明の実施の形態３におけるフック部の拡大図
【図５】本発明の実施の形態４における一体型ヒートポンプ給湯機の正面透視図
【図６】（ａ）本発明の実施の形態５における一体型ヒートポンプ給湯機の正面透視図（ｂ）本発明の実施の形態５における切り欠き部の拡大図
【図７】従来のヒートポンプ給湯機の回路構成図
【符号の説明】
【００３８】
１  圧縮機
２  水−冷媒熱交換器
３  減圧弁
４  空気−冷媒熱交換器
５  送風機
６  貯湯タンク
７  混合弁
８  電磁弁
９  給湯用循環ポンプ
１０  風呂追焚き用循環ポンプ
１１  浴槽
１２  蛇口
１５  仕切り板
１７  電装品収納箱
３０  本体ユニット
【図１】
2006349235.tif 000003
【図２】
2006349235.tif 000004
【図３】
2006349235.tif 000005
【図４】
2006349235.tif 000006
【図５】
2006349235.tif 000007
【図６】
2006349235.tif 000008
【図７】
2006349235.tif 000009